(57)【特許請求の範囲】
【請求項１】
複数の仕様の高圧放電灯を適合ランプとする高圧放電灯点灯装置であって、接続された高圧放電灯に電流を投入する電流供給回路、該電流供給回路の出力電流を制御する制御部及び前記高圧放電灯のランプ電圧を検出するランプ電圧検出回路を備え、
前記制御部は、前記出力電流がベース電流部分と該ベース電流部分よりも電流値の高い一時的なピーク電流部分を有するように前記電流供給回路を制御し、該ピーク電流部分に対応するランプ電圧パラメータから、前記接続された高圧放電灯の仕様を特定し、特定された仕様の高圧放電灯に対して設定された出力電流を前記電流供給回路に出力させるように構成され、
前記ランプ電圧パラメータは、前記ベース電流部分の期間のランプ電圧に対する前記ピーク電流部分の期間のランプ電圧の比率である、高圧放電灯点灯装置。
【請求項２】
複数の仕様の高圧放電灯を適合ランプとする高圧放電灯点灯装置であって、接続された高圧放電灯に電流を投入する電流供給回路、該電流供給回路の出力電流を制御する制御部及び前記高圧放電灯のランプ電圧を検出するランプ電圧検出回路を備え、
前記制御部は、前記出力電流がベース電流部分と該ベース電流部分よりも電流値の高い一時的なピーク電流部分を有するように前記電流供給回路を制御し、該ピーク電流部分に対応するランプ電圧パラメータから、前記接続された高圧放電灯の仕様を特定し、特定された仕様の高圧放電灯に対して設定された出力電流を前記電流供給回路に出力させるように構成され、
前記電流供給回路が交流電流供給回路であり、前記ピーク電流部分とその直後のベース電流部分の極性が異なる場合に、前記ランプ電圧パラメータは、前記ピーク電流部分から前記ベース電流部分への極性反転時のランプ電圧のオーバーシュート量又はアンダーシュート量である、高圧放電灯点灯装置。
【請求項３】
請求項１又は２に記載の高圧放電灯点灯装置において、前記電流供給回路が交流電流供給回路であり、前記出力電流の１ユニットが、半サイクルの前記ベース電流部分及び該ベース電流部分よりも周波数の高い１サイクルの高周波電流部分からなり、該１サイクルの高周波電流部分の少なくとも後半の半サイクルがピーク電流部分となる、高圧放電灯点灯装置。
【請求項４】
接続された高圧放電灯に電流を投入する電流供給回路、該電流供給回路の出力電流を制御する制御部及び前記高圧放電灯のランプ電圧を検出するランプ電圧検出回路を備えた、複数の仕様の高圧放電灯を適合ランプとする高圧放電灯点灯装置を用いた高圧放電灯の点灯方法であって、
前記制御部が、ベース電流部分と該ベース電流部分よりも電流値の高い一時的なピーク電流部分を有する初期電流を前記電流供給回路に出力させるステップ、
前記制御部が、該ピーク電流部分に対応するランプ電圧パラメータから、前記接続された高圧放電灯の仕様を判別するステップ、及び
前記制御部が、判別された仕様の高圧放電灯に対して設定された出力電流を前記電流供給回路に出力させるステップ
を備え、
前記ランプ電圧パラメータは、前記ベース電流部分の期間のランプ電圧に対する前記ピーク電流部分の期間のランプ電圧の比率である、点灯方法。
【請求項５】
接続された高圧放電灯に電流を投入する電流供給回路、該電流供給回路の出力電流を制御する制御部及び前記高圧放電灯のランプ電圧を検出するランプ電圧検出回路を備えた、複数の仕様の高圧放電灯を適合ランプとする高圧放電灯点灯装置を用いた高圧放電灯の点灯方法であって、
前記制御部が、ベース電流部分と該ベース電流部分よりも電流値の高い一時的なピーク電流部分を有する初期電流を前記電流供給回路に出力させるステップ、
前記制御部が、該ピーク電流部分に対応するランプ電圧パラメータから、前記接続された高圧放電灯の仕様を判別するステップ、及び
前記制御部が、判別された仕様の高圧放電灯に対して設定された出力電流を前記電流供給回路に出力させるステップ
を備え、
前記出力電流が交流電流であり、前記ピーク電流部分とその直後のベース電流部分の極性が異なる場合に、前記ランプ電圧パラメータは、前記ピーク電流部分から前記ベース電流部分への極性反転時のランプ電圧のオーバーシュート量又はアンダーシュート量である、点灯方法。
【請求項６】
請求項４又は５に記載の点灯方法において、前記出力電流が交流電流であり、前記出力電流の１ユニットが、半サイクルの前記ベース電流部分及び該ベース電流部分よりも周波数の高い１サイクルの高周波電流部分からなり、該１サイクルの高周波電流部分の少なくとも後半の半サイクルがピーク電流部分となる、点灯方法。
【請求項７】
請求項１〜３のいずれか一項に記載の高圧放電灯点灯装置、前記適合ランプのいずれかである高圧放電灯、及び前記高圧放電灯が取り付けられるリフレクタを備えた照明器具。
【発明の詳細な説明】
【技術分野】
【０００１】
本発明は高圧放電灯点灯装置に関し、より具体的には、複数の高圧放電灯を適合ランプとする高圧放電灯点灯装置、それを用いた高圧放電灯の点灯方法及び照明器具に関する。
【背景技術】
【０００２】
従来では、異なる種類又は異なる定格電力の高圧放電灯を点灯するためにそれぞれ専用の高圧放電灯点灯装置（以下、「点灯装置」という）が使用されていた。例えば、定格電力１００Ｗ前後の高圧放電灯といった場合に、メタルハライドランプ、高圧ナトリウムランプ等の種類、及び７０Ｗ、１００Ｗ、１５０Ｗ等の定格電力の高圧放電灯があり、それぞれの組合せごとに専用の点灯装置が用いられていた。そして、点灯装置の開発費用・在庫品種の削減によるコストダウンや、点灯装置設置後のランプ種類の変更による照度調整・光色変更などの要求から、複数の種類又は定格電力の高圧放電灯を点灯することが出来る点灯装置が求められている。
【０００３】
特許文献１には、点灯装置に接続された高圧放電灯について、点灯開始後の所定期間におけるランプ電圧の変化率を見て、高圧放電灯の定格電力を判別し、その判別結果に基づいて選択された出力特性によって高圧放電灯を点灯させる点灯装置が開示されている。
【先行技術文献】
【特許文献】
【０００４】
【特許文献１】特開２００５−３１０６７６号公報
【発明の概要】
【発明が解決しようとする課題】
【０００５】
高圧放電灯は通常、点灯開始後に徐々にランプ電圧が上昇していき、安定点灯（定格電力での点灯）に到達するのに数分〜十数分かかる。特許文献１のような複数の定格電力に対応した点灯装置で点灯する場合、接続された高圧放電灯に許容されるランプ電流以上のランプ電流を投入すると高圧放電灯にダメージを与えてしまうため、接続された高圧放電灯の定格電力の判別が完了するまでは、接続が想定されている高圧放電灯（以下、「適合ランプ」という）のうち最も許容ランプ電流の低い高圧放電灯（通常は、最も定格電力の低い高圧放電灯）に合わせてランプ電流を投入することになる。従って、接続された高圧放電灯が適合ランプのうちの定格電力が最も低い高圧放電灯以外である場合は、専用の点灯装置で点灯した場合よりも低い電流で点灯開始することになり、光束立ち上がりが遅くなり、即ち、安定点灯到達までにより長時間を要してしまう。
【０００６】
また、特許文献１では、定格電力の異なるメタルハライドランプの定格電力を判別する方法が開示されているものの、メタルハライドランプと高圧ナトリウムランプ等といったように添加物の異なる高圧放電灯の種類の相違を判別する方法は開示されていない。
【０００７】
そこで、本発明は、複数の適合ランプを持つ高圧放電灯点灯装置において、接続された高圧放電灯の仕様（種類、定格電力、又は種類及び定格電力）を高圧放電灯の点灯開始直後に判別することを目的とする。
【課題を解決するための手段】
【０００８】
本発明の第１の側面は、複数の仕様の高圧放電灯を適合ランプとする高圧放電灯点灯装置であって、接続された高圧放電灯に電流を投入する電流供給回路、電流供給回路の出力電流を制御する制御部及び高圧放電灯のランプ電圧を検出するランプ電圧検出回路を備え、制御部は、出力電流がベース電流部分とベース電流部分よりも電流値の高い一時的なピーク電流部分を有するように電流供給回路を制御し、ピーク電流部分に対応するランプ電圧パラメータから、接続された高圧放電灯の仕様を特定し、特定された仕様の高圧放電灯に対して設定された出力電流を電流供給回路に出力させるように構成された高圧放電灯点灯装置である。
【０００９】
本発明の第２の側面は、接続された高圧放電灯に電流を投入する電流供給回路、電流供給回路の出力電流を制御する制御部及び高圧放電灯のランプ電圧を検出するランプ電圧検出回路を備えた、複数の仕様の高圧放電灯を適合ランプとする高圧放電灯点灯装置を用いた高圧放電灯の点灯方法であって、制御部が、ベース電流部分とベース電流部分よりも電流値の高い一時的なピーク電流部分を有する初期電流を電流供給回路に出力させるステップ、ピーク電流部分に対応するランプ電圧パラメータから、接続された高圧放電灯の仕様を判別するステップ、及び判別された仕様の高圧放電灯に対して設定された出力電流を電流供給回路に出力させるステップを備える点灯方法である。
【００１０】
上記第１及び第２の側面において、ランプ電圧パラメータを、ベース電流部分の期間のランプ電圧に対するピーク電流部分の期間のランプ電圧の比率とすることができる。
また、電流供給回路が交流電流供給回路である場合であってピーク電流部分とその直後のベース電流部分の極性が異なる場合には、ランプ電圧パラメータを、ピーク電流部分からベース電流部分への極性反転時のランプ電圧のオーバーシュート量又はアンダーシュート量としてもよい。
また、ランプ電圧パラメータをピーク電流部分の期間におけるランプ電圧の変化率としてもよい。
【００１１】
また、電流供給回路を交流電流供給回路として、出力電流の１ユニットが、半サイクルのベース電流部分及びベース電流部分よりも周波数の高い１サイクルの高周波電流部分からなり、１サイクルの高周波電流部分の少なくとも後半の半サイクルがピーク電流部分となるようにしてもよい。
【００１２】
本発明の第３の側面は、上記第１の側面の高圧放電灯点灯装置、適合ランプのいずれかである高圧放電灯、及び高圧放電灯が取り付けられるリフレクタを備えた照明器具である。
【図面の簡単な説明】
【００１３】
【図１】本発明の実施例による高圧放電灯点灯装置の回路構成図である。
【図２Ａ】本発明の実施例における高圧放電灯点灯装置の出力電流の一例を示す図である。
【図２Ｂ】本発明の実施例における高圧放電灯点灯装置の出力電流の一例を示す図である。
【図２Ｃ】本発明の実施例における高圧放電灯点灯装置の出力電流の一例を示す図である。
【図２Ｄ】本発明の実施例における高圧放電灯点灯装置の出力電流の一例を示す図である。
【図２Ｅ】本発明の実施例における高圧放電灯点灯装置の出力電流の一例を示す図である。
【図３】本発明の実施例による高圧放電灯点灯装置を説明する図である。
【図４Ａ】本発明の実施例における７０Ｗメタルハライドランプのランプ電流を示す図である。
【図４Ｂ】図４Ａに対応するランプ電圧を示す図である。
【図５Ａ】本発明の実施例における１５０Ｗメタルハライドランプのランプ電流を示す図である。
【図５Ｂ】図５Ａに対応するランプ電圧を示す図である。
【図６Ａ】本発明の実施例における１５０Ｗ高圧ナトリウムランプのランプ電流を示す図である。
【図６Ｂ】図６Ａに対応するランプ電圧を示す図である。
【図７】本発明の点灯方法のフローチャートである。
【図８】本発明の実施例における照明器具の図である。
【発明を実施するための形態】
【００１４】
図１に本発明の実施例による高圧放電灯点灯装置（以下、「点灯装置」という）の回路構成を示す。点灯装置は、交流入力を直流化する整流平滑回路１０、整流平滑回路１０の出力電圧を降下して高圧放電灯（以下、「ランプ」という）６０への電流を制限する降圧チョッパ回路２０、降圧チョッパ回路２０の出力を交流電流に変換してランプ６０に投入するフルブリッジ回路４０、降圧チョッパ回路２０及びフルブリッジ回路４０を制御する制御回路３０、並びにイグナイタ５０からなる。なお、本明細書では、整流平滑回路１０、降圧チョッパ回路２０及びフルブリッジ回路４０を含んだ部分を電流供給回路というものとする。但し、点灯装置外部から直流電圧が供給される場合には整流平滑回路１０は不要であるので、この場合は、回路２０及びフルブリッジ回路４０を含んだ部分を電流供給回路というものとする。
【００１５】
降圧チョッパ回路２０は、点灯開始後から安定点灯到達前の所定期間においては、ランプ電流が所定値となるように制御回路３０によってＰＷＭ制御される。具体的には、ランプ電流検出抵抗３３によって検出されるランプ電流がプロセッサ（マイクロコンピュータ）３５に記憶された設定値と一致するようにＰＷＭ制御回路３４によってトランジスタ２１がＰＷＭ制御される。これにより、所望の電流値又は電流値変動を持つランプ電流を生成することができる。
【００１６】
なお、上記所定期間経過後は、降圧チョッパ回路２０はランプ電力が所定値となるように制御回路３０によってＰＷＭ制御される。具体的には、ランプ電圧検出抵抗３１及び３２（ランプ電圧検出回路）によって検出されるランプ電圧とランプ電流検出抵抗３３によって検出されるランプ電流の積（即ち、ランプ電力）がプロセッサ３５に記憶された設定値と一致するようにＰＷＭ制御回路３４によってトランジスタ２１がＰＷＭ制御される。
【００１７】
フルブリッジ回路４０では、ブリッジ制御回路４５が、プロセッサ３５において設定された反転タイミングでトランジスタ４１及び４４とトランジスタ４２及び４３とが交互にオン・オフ駆動する。これにより、所望の反転タイミングで極性が切り替わるランプ電流波形を形成できる。
【００１８】
なお、イグナイタ回路５０はランプ始動時に動作し、ランプ点灯開始後は非動作状態となる。本発明はランプ点灯開始後の動作に関するものであり、イグナイタ回路５０の動作は発明の本質ではないのでその説明を省略する。
【００１９】
上記より、電流供給回路は、プロセッサ３５、ＰＷＭ制御回路３４及びブリッジ制御回路４５（以下、これらの３構成要素をまとめて「制御部」という）によって、降圧チョッパ回路２０の出力電流値を制御するとともにフルブリッジ回路４０の極性反転タイミングを制御することにより、所望の波形の出力電流をランプ６０に投入することができる。
【００２０】
本発明の実施例においては、制御部は、上記出力電流がベース電流部分とそのベース電流部分よりも電流値の高い一時的なピーク電流部分を有するように電流供給回路を制御し、ピーク電流部分に対応するランプ電圧パラメータから、接続された高圧放電灯の仕様を特定し、特定された仕様の高圧放電灯に対して設定された出力電流を電流供給回路に出力させるように構成される。なお、ベース電流部分の周波数は５０Ｈｚ〜１ｋＨｚ程度を想定している。また、本発明において、高圧放電灯の「仕様」とは、高圧放電灯の種類、定格電力、又は種類及び定格電力のいずれかをいうものとする。
【００２１】
図２Ａから２Ｅに、本発明の実施例で用いる出力電流波形を示す。
図２Ａの出力電流波形においては、出力電流の１ユニットが、半サイクルのベース電流部分及びベース電流部分よりも周波数の高い１サイクルの高周波電流部分からなり、１サイクルの高周波電流部分の後半の半サイクルがベース電流部分よりも高いピーク電流部分を構成する。なお、高周波電流部分の周波数は５００Ｈｚ〜１０ｋＨｚ程度を想定している。
【００２２】
図２Ａでは、１サイクルの高周波電流部分の後半の半サイクルがベース電流部分よりも高いピーク電流部分となる波形を示したが、図２Ｄに示すように、１サイクルの高周波電流部分の前半及び後半の半サイクルがベース電流部分よりも高いピーク電流部分となる波形としてもよい。
【００２３】
図２Ｂの出力電流波形では、出力電流の１ユニットが、半サイクルのベース電流部分及びベース電流部分に重畳されたピーク電流部分からなる。
図２Ｃの出力電流波形では、出力電流の１ユニットが、１サイクル以上のベース電流部分及び半サイクルのピーク電流部分からなる。
図２Ａ〜２Ｄでは交流点灯用の例を示したが、本発明は直流点灯方式にも適用することができ、図２Ｅに示すようなランプ電流波形を用いることができる。なお、直流点灯方式の場合は、図１の回路構成からフルブリッジ回路４０を省略した回路構成を用いればよい。
【００２４】
図３は、７０Ｗメタルハライドランプ、１５０Ｗメタルハライドランプ及び１５０Ｗ高圧ナトリウムランプにおけるランプ電圧に対する設定ランプ電流をそれぞれ示す。７０Ｗメタルハライドランプ、１５０Ｗメタルハライドランプ及び１５０Ｗ高圧ナトリウムランプについて、点灯開始直後のランプ電圧が低い状態における立ち上がり時の初期電流の実効値は、それぞれ１．５Ａ、３．０Ａ及び３．３Ａが推奨される。なお、それぞれの高圧放電灯の安定点灯時の定格電流はそれぞれ０．７８Ａ、１．５８Ａ及び１．５０Ａである。
【００２５】
メタルハライドランプでは、ランプ発光管のダメージを抑制するため、初期電流は定格電流の２倍以下にすることが推奨されている。一方、高圧ナトリウムランプでは、初期電流が２倍よりも小さいと発光管温度が上昇せず、発光管内部のナトリウムが蒸発しないためにランプ電圧がいつまでも上昇しない場合がある。そのため、高圧ナトリウムランプでは、初期電流は定格電流の２倍よりも大きい電流を流す必要がある。
なお、図３における各設定ランプ電流の曲線部分（高ランプ電圧側）は、電流供給回路（特に、降圧チョッパ回路２０）で定電力制御が行われていることを意味するが、本発明は設定ランプ電流の直線部分（低ランプ電圧側）に相当する定電流制御において実施されるものとする。
【００２６】
図４Ａ、５Ａ及び６Ａは、それぞれ７０Ｗメタルハライドランプ、１５０Ｗメタルハライドランプ及び１５０Ｗ高圧ナトリウムランプについて、図２Ａの出力電流を投入した場合のランプ電流波形である。また、上記３仕様の高圧放電灯を判別する場合に、ランプ仕様の判別完了前は、ランプへのダメージをなくすためにこれらの適合ランプのうち最も定格電流の小さい７０Ｗメタルハライドランプ用の初期ランプ電流を投入することが望ましい。従って、図４Ａ、５Ａ及び６Ａの電流波形は、実効値が１．５Ａ、ベース電流値が約１．０Ａ、ピーク値が約３．５Ａでほぼ同じ波形となる。
【００２７】
なお、図２Ａの出力電流波形を用いるのは、ピーク電流期間をベース電流期間に対して短く設定できるので電流の実効値とピーク値との比率を大きくすることができ、また、ピーク電流前後の電流反転時の電流差が大きくなるので、後述するランプ電圧の過渡的な応答を識別し易くなるためである。
【００２８】
図４Ｂ、５Ｂ及び６Ｂは、それぞれ図４Ａ、５Ａ及び６Ａのランプ電流に対応する７０Ｗメタルハライドランプ、１５０Ｗメタルハライドランプ及び１５０Ｗ高圧ナトリウムランプのランプ電圧の波形である。以下に、ランプ仕様の判別方式の実施例を示す。
【００２９】
実施例１．
実施例１の判別方式は、ランプ電圧パラメータを、ベース電流部分の期間のランプ電圧（以下、「ベース電圧」という）に対するピーク電流部分の期間のランプ電圧（以下、「ピーク電圧」という）の比率とするものである。
図４Ｂ、５Ｂ及び６Ｂについて、ベース電圧に対するピーク電圧の比率は、７０Ｗメタルハライドランプ、１５０Ｗメタルハライドランプ、１５０Ｗ高圧ナトリウムランプの順に約２倍、約３倍、約１．２倍と顕著な差が出る。従って、プロセッサ３５において、この比率に基づいてランプ仕様を特定することができる。
【００３０】
本実施例は、ベース電圧に対するピーク電圧の比率が検出できればよいので、図２Ａ〜２Ｅの全ての出力電流波形で実施することができる。
【００３１】
実施例２の判別方式は、ランプ電圧パラメータを、ピーク電流部分からベース電流部分への電流反転時のランプ電圧のオーバーシュート量又はアンダーシュート量とするものである。
図４Ｂ、５Ｂ及び６Ｂについて、上記ランプ電圧のオーバーシュート量（各図Ａ部参照）は、７０Ｗメタルハライドランプ、１５０Ｗメタルハライドランプ、１５０Ｗ高圧ナトリウムランプの順に、約５Ｖ、約２０Ｖ、約−数Ｖ（即ち、アンダーシュート）と顕著な差が出る。従って、プロセッサ３５において、このオーバーシュート量に基づいてランプ仕様を特定することができる。
【００３２】
本実施例は、ピーク電流直後の反転を必要とするので、図２Ａ、２Ｃ及び２Ｄの出力電流波形で実施することができる。また、図２Ｂのタイプの電流波形であっても、ピーク電流部分がベース電流部分の最後端に重畳されるようにすれば本実施例を実施できる。
【００３３】
実施例３．
実施例３の判別方式は、ランプ電圧パラメータをピーク電流部分の期間におけるランプ電圧の変化率とするものである。
図４Ｂ、５Ｂ及び６Ｂについて、ピーク電流部分の期間におけるランプ電圧の変化率は、ピーク電流期間をｔとすると、７０Ｗメタルハライドランプ、１５０Ｗメタルハライドランプ、１５０Ｗ高圧ナトリウムランプの順に、約−８Ｖ／ｔ、約−１２／ｔ、約−１Ｖ／ｔとなる。従って、プロセッサ３５において、この変化率に基づいてランプ仕様を特定することができる。
【００３４】
本実施例は、ピーク電流以降直後のランプ電圧の変動が検出できればよいので、図２Ａ〜２Ｅの全ての出力電流波形で実施することができる。但し、極性反転直後のピーク電流部分に対して顕著な差がでるのであれば、図２Ａ、２Ｃ及び２Ｄの出力電流波形が好適であり、図２Ｄの出力電流波形がより好適となる。
【００３５】
さらに、判別精度を高めるために実施例１から３を適宜組み合わせて実施してもよいし、出力電流波形を切り替えながら、各電流波形において実施例１から３のいずれかを実施してランプ仕様を判別してもよい。なお、それぞれのランプに対応する各ランプ電圧パラメータはプロセッサ３５内のメモリに予め記憶されているものとする。
【００３６】
図７は本発明の実施例による高圧放電灯の点灯方法を示すフローチャートである。
ステップＳ１において、制御部が、ベース電流部分とベース電流部分よりも電流値の高い一時的なピーク電流部分を有する初期電流を電流供給回路に出力させる。即ち、電流供給回路は、図２Ａ〜２Ｄのような波形の出力電流を初期電流としてランプ６０に投入する。前述したように、制御部は、適合ランプのうち、最も定格電流の小さなランプのために設定された初期電流を設定電流として選択する。実施例で示した具体例では、７０Ｗメタルハライドランプ用の実効値１．５Ａが選択される。
【００３７】
ステップＳ２において、制御部が、ピーク電流部分に対応するランプ電圧パラメータから、接続されたランプの仕様を判別する。具体的には、実施例１〜３に示したように、ベース電圧に対するピーク電圧の比率、ピーク電流部分からベース電流部分への電流反転時のランプ電圧のオーバーシュート量若しくはアンダーシュート量又はランプ電圧パラメータをピーク電流部分の期間におけるランプ電圧の変化率、又はこれらの組合せをランプ電圧パラメータとして、ランプ仕様が判別される。この判別のタイミングは点灯開始直後（但しアーク放電移行後）に行うことができる。但し、点灯開始直後の過渡的な状態を避けてランプ電圧がある程度上昇してからステップＳ２を実行してもよい。
【００３８】
ステップＳ３において、制御部が、判別された仕様のランプに対して設定された出力電流を電流供給回路に出力させる。例えば、接続されたランプが７０Ｗメタルハライドランプであると判別された場合には、ステップＳ１の初期電流による点灯を継続する。一方、接続されたランプが１５０Ｗメタルハライドランプ又は１５０Ｗ高圧ナトリウムランプであると判別された場合には、判別された仕様に対応した実効電流値３．０Ａ又は３．３Ａでの点灯に切り替わる。
【００３９】
以上のように、本発明によると、複数の適合ランプを持つ点灯装置において、点灯開始直後（例えば、グロー放電からアーク放電に移行してから数秒後）あるいは点灯開始後の早い時期にランプ仕様を判別することができる。従って、複数の適合ランプを持つ点灯装置において、適合ランプの中でも定格電力が高いランプが装着された場合でも、専用の点灯装置によって点灯される場合と同等の速さの光束立ち上がりを確保することができる。
【００４０】
図８に上記点灯装置を利用した照明器具を示す。照明器具は、上記点灯装置７１、適合ランプのいずれかであるランプ６０が取り付けられるリフレクタ７２を備える。なお、図８は本発明の照明器具を模擬的に図示したものであり、寸法、配置などは図面通りではない。
本発明の照明器具によると、複数の適合ランプを持つ照明器具において、適合ランプの中でも定格電力が高いランプが装着された場合でも、専用の照明器具を用いた場合と同等の安定点灯到達時間を達成することができる。
【００４１】
上記に本発明の最も好適な実施例を示したが、本発明は発明の趣旨を逸脱することなく以下のように変形可能である。
（１）上記実施例ではメタルハライドランプ及び高圧ナトリウムランプを用いたが、本発明は無水銀ランプなど他の種類の高圧放電灯にも適用できる。
【００４２】
（２）上記実施例では、ランプ仕様判別後も図２Ａ〜２Ｅのような波形の電流をランプに投入する構成を示したが、ランプ仕様判別後は標準的な（ピーク電流部分がない）矩形波を投入してもよい。
【００４３】
（３）上記実施例では、初期電流としてベース電流部分とピーク電流部分が周期的に繰り返される構成を示したが、ピーク電流部分はベース電流部分に対して不規則に挿入されるようにしてもよい。
【００４４】
（４）上記実施例において、整流平滑回路１０、降圧チョッパ回路２０、制御回路３０、フルブリッジ回路４０、及びイグナイタ回路５０の具体例を示したが、これらは上述した機能を達成できるものであれば当業者に周知の他の回路構成であってもよい。例えば、図１では、整流平滑回路１０としていわゆるコンデンサインプット型の回路を示しているが、昇圧チョッパ回路（力率改善回路）を用いてもよい。また、降圧チョッパ回路２０をフォワード型等の他の構成のＤＣ／ＤＣコンバータとしてもよく、それはＤＣ出力電流の制御ができればよい。また、フルブリッジ回路４０をプッシュプル型等の他の構成のＤＣ／ＡＣコンバータとしてもよく、出力電流の極性反転制御ができるものであればよい。
【符号の説明】
【００４５】
１０．整流平滑回路
２０．降圧チョッパ回路
３０．制御回路
３１、３２．ランプ電圧検出抵抗（ランプ電圧検出回路）
３３．ランプ電流検出抵抗
３４．ＰＷＭ制御回路
３５．プロセッサ
４０．フルブリッジ回路
４５．ブリッジ制御回路
６０．高圧放電灯（ランプ）
７１．高圧放電灯点灯装置（点灯装置）
７２．リフレクタ
【図１】
0005742530.tif 000002
【図２Ａ】
0005742530.tif 000003
【図２Ｂ】
0005742530.tif 000004
【図２Ｃ】
0005742530.tif 000005
【図２Ｄ】
0005742530.tif 000006
【図２Ｅ】
0005742530.tif 000007
【図３】
0005742530.tif 000008
【図４Ａ】
0005742530.tif 000009
【図４Ｂ】
0005742530.tif 000010
【図５Ａ】
0005742530.tif 000011
【図５Ｂ】
0005742530.tif 000012
【図６Ａ】
0005742530.tif 000013
【図６Ｂ】
0005742530.tif 000014
【図７】
0005742530.tif 000015
【図８】
0005742530.tif 000016